(57)【要約】    【課題】      特開２０００−２４０１０号の長所（作業具の作業位置の変化に、照明器具の照明範囲が追随できること）を生かしつつ、それに加えて、構造の簡易化、軽量化、コストの低廉さ等の利点が得られる構造を提案しようとする。    【解決手段】  複数の回動体1,2,3からなる作業装置が備えられる作業機械の照明構造である。そのような作業機械において、少なくとも最先端の回動体3より機体側の任意箇所に、各回動体1,2,3と同方向に回動する照明器具5を配置させるとともに、前記照明器具5に、それを引っ張ることで正逆自在に回動させる１組のワイヤ6,7を取り付ける一方、先端側の回動体2の回動動作と、その正逆方向が一致して同期するように、前記各ワイヤ6,7の他端部を、その回動体2に取り付けた。【選択図】        図２
2007001413.tif 000002
【特許請求の範囲】
【請求項１】
複数の回動体からなる作業装置が備えられる作業機械の照明構造において、少なくとも最先端の回動体より機体側の任意箇所に、各回動体と同方向に回動する照明器具を配置させるとともに、前記照明器具に、それを引っ張ることで正逆自在に回動させる１組のワイヤを取り付ける一方、先端側の回動体の回動動作と、その正逆方向が一致して同期するように、前記各ワイヤの他端部を、その回動体に取り付けたことを特徴とする作業機械の照明構造。
【発明の詳細な説明】
【技術分野】
【０００１】
この発明は、作業機械の作業装置に取り付けられる照明構造に関する。
【背景技術】
【０００２】
作業機械には、複数の回動体（ブーム、アーム等）が連結する作業装置が備えられており、作業時に、先端の回動体である作業具（例えばバケット）周辺を照らすため、いずれかの回動体の任意箇所に照明器具が取り付けられている。
【０００３】
従来、この照明器具は固定して取り付けられていたので、作業具の作業位置の変化にも対応できるように、広角度をカバーできる照明器具が用いられていたが、広角度であるため作業位置での明るさが不足する不都合があった。
【０００４】
そこで、本出願人は特開２０００−２４０１０号（特許文献１）において、作業具の作業位置の変化に、照明器具の照明範囲が追随できる技術を提案している。図４がその一例であり、これは図示のように、作業装置を構成するブーム1に照明器具10を回動自在に取り付けるとともに、アーム2の回動動作に追随するリンク機構11を付設させ、そのリンク機構11に照明器具10の回動機構を接続させて連動するようにした構造である。
【特許文献１】特開２０００−２４０１０号（図１、図２）
【発明の開示】
【発明が解決しようとする課題】
【０００５】
しかし、特開２０００−２４０１０号の技術は、リンク機構11を用いるため構造が複雑でかつコストがかかり、またリンク機構11の構造分重量が重くなるという問題があった。
【０００６】
この発明は、従来技術の以上のような問題に鑑み創案されたもので、既に提案した特開２０００−２４０１０号の長所を生かしつつ、それに加えて、構造の簡易化、軽量化、コストの低廉さという利点が得られる照明構造を提案しようとするものである。
【課題を解決するための手段】
【０００７】
このため、この発明に係る照明構造は、複数の回動体からなる作業装置が備えられる作業機械の照明構造において、少なくとも最先端の回動体より機体側の任意箇所に、各回動体と同方向に回動する照明器具を配置させるとともに、前記照明器具に、それを引っ張ることで正逆自在に回動させる１組のワイヤを取り付ける一方、先端側の回動体の回動動作と、その正逆方向が一致して同期するように、前記各ワイヤの他端部を、その回動体に取り付けたことを特徴とする。
【０００８】
本発明では、各回動体と同方向に回動する照明器具が、１組のワイヤにより先端側の回動体の回動動作と正逆方向が一致しながら同期して回動するので、照明器具が照射する範囲は、前記回動体の回動動作に追随して動くことになる。したがって、照明器具の照射範囲を、例えば作業機の最先端の回動体周辺に設定しておけば、各回動体が回動して最先端の回動体の位置がどのように変動しても、最先端の回動体周辺を照射範囲から外さないよう設定することが可能となる。
【０００９】
このような本発明の構成のうち、新たに揃えることを要する構成は、回動自在な照明器具と１組のワイヤだけである。したがって、本発明は、その製作コストがきわめて低廉で済み、また構造全体も軽量である。
【発明の効果】
【００１０】
以上説明したように、この発明に係る照明構造は、回動体の動作に連動させて、照明器具の照明範囲を所望の範囲に維持できる。
【００１１】
しかも、構造が簡易であって、その製作コストも廉価となるほか、構造全体がきわめて軽量となる。
【発明を実施するための最良の形態】
【００１２】
本発明の具体的実施形態例を図面に基づき説明する。
【００１３】
本形態例は、図１に示すように、作業機械としての油圧ショベルに適用された形態例である。図中、1は機体側の回動体であるブーム、2は中間の回動体であるアーム、3は最先端の回動体であるバケットであり、これらブーム1、アーム2、バケット3によって作業装置が構成される油圧ショベルの例である。この図１に示すＡ部及びＢ部の詳細を図２に示し本事例を説明する。両図中、5は照明器具、6及び7は１組のワイヤ、8はアーム基軸であるピンである。なお、本発明がこの形態例に限定されるものでないことは当然であり、他の作業機械に適用されても、また油圧ショベルにおける他の形態であっても、請求の範囲の構成を満たす限り（例えば、照明器具はアームや機体に設けられる構成等）、本発明の範囲に含まれるものである。
【００１４】
本形態例の照明器具5は、ブーム1の一方側板のうちほぼ中央部に配置される。該照明器具5は、図２(a)に示すように、回動自在な取付台50と該取付台50に支持椀によって支持されるライト51とからなり、取付台50は各回動体であるブーム1、アーム2、バケット3と同方向に回動するように、ピン52によってブーム1に枢支される。取付台50の前後には、それぞれワイヤ取付用ブラケット53,54が設けられている。
【００１５】
各ブラケット53,54には、１組のワイヤ6,7が取り付けられる。ワイヤ6,7はいずれも樹脂製アウタ60,70と金属製インナ61,71からなる二重ワイヤが用いられる。該二重ワイヤは、アウタ60,70内でインナ61,71が自由に可動する形態であり、これは自転車のブレーキワイヤやオートバイの加速操作を気化器に伝達する際のワイヤとして用いられるものと同様の公知のもので良い。このような二重ワイヤのうち、金属製インナ61,71の各一方端部が前記ブラケット53,54に取り付けられる。前方のブラケット53にはインナ61が、後方のブラケット54にはインナ71がそれぞれ取り付けられる。これらワイヤ6,7は、図１に示すように、ブーム1の一方側板外面上をブーム1先端側に向かって配置されるが、途中に穿設された孔23からブーム1内部に挿入され、そこからはブーム1の一方側板内面上に這わせるものとなっている。
【００１６】
図２(b)及び(c)に示すように、ワイヤ6,7の各インナ61,71他端部は、アーム2のうち、基端軸8取付部20の上下にそれぞれ取り付けられる。このため、前記取付部20の当該箇所には、それぞれワイヤ取付用ブラケット21,22が設けられている。上方のブラケット21にはインナ61が、下方のブラケット22にはインナ62がそれぞれ取り付けられる。ワイヤ6,7の両端がこのように接続されているので、アーム2が畳む方向（図に向かって反時計回り）に回動すると、ブラケット21に取り付けられたインナ61が引っ張られ、そうすると、インナ61の一端に取り付けられたブラケット53が下方に引っ張られて、照明器具5の取付台50が前記アーム2と同方向に回動する。逆に、アーム2が開く方向（図に向かって時計回り）に回動すると、ブラケット22に取り付けられたインナ71が引っ張られ、そうすると、インナ71の一端に取り付けられたブラケット54が下方に引っ張られて、照明器具5の取付台50がやはりアーム2と同方向に回動する。すなわち、照明器具5がアーム2の回動動作と正逆方向が一致しつつ回動する。
【００１７】
しかも本形態例では、同期するアーム2と照明器具5との回動角度もほぼ一致するよう設定されている。すなわち、１組のワイヤ6,7が取り付けられる、アーム2の取付部20と照明器具5の取付台50とは、ほぼ同寸法の半円形状よりなっているが、それらの外形線である円弧の中心を各ピン8,52の中心に設定させている。そして、各ピン8,52の中心から各ブラケット21,22,53,54の取付孔までの距離（図中のr1、r2であり、各外縁までの半径）をほぼ一致させており、これにより、アーム2と照明器具5とが同期する回動角度はほぼ一致することになる。なお、ライト51の照射範囲はある程度の幅があるので（例えば図１中のＣの範囲）、同期するアーム2と照明器具5との回動角度を完全に一致させる必要はなく、ほぼ同一に設定すれば足りる。もちろん、機種や機体条件に応じて、両距離r1,r2を適宜変更させることは自由であり、例えばアーム2が通常より長い場合は、アーム取付部20側の距離r1に比べ、照明器具5側の距離r2を大きく設定する等しても良い。
【００１８】
以上のように、本形態例では、照明器具5が、１組のワイヤ6,7によりアーム2と正逆方向と回動角度がほぼ一致しながら同期して回動するので、照明器具5の照射範囲は、アーム2の回動動作に追随し、しかも回動角度がほぼ一致して動くことになる。したがって、照明器具5の照射範囲をバケット3の周辺全体（図１中のＣ範囲）に設定しておけば、アーム2が回動してバケット3の位置がどのように変動しても、常にバケット3周辺を照射することになる。
【００１９】
このような本形態例は、油圧ショベル本体以外に新たに揃えることを要する装置構成として、回動自在な照明器具5と１組のワイヤ6,7のみで足りるものとなっている。したがって、本形態例は、その製作コストがきわめて低廉で済み、また構造全体も軽量となっている。
【００２０】
なお、本発明が以上の形態例に限定されるものでないことは上述のとおりであり、例えば図３に示すように、１組のワイヤ6,7が照明器具5のライト51本体に直接取り付けられる形態（同図では支持椀に支持されるピン52を中心として回動する）や、各ワイヤ6,7の取付位置をクロスさせる形態（ただし、この場合は同期させる回動体の取付位置もクロスさせる必要がある）等のいずれでも、本発明の範囲に含まれるものである。
【産業上の利用可能性】
【００２１】
この発明は、回動体により作業装置が構成される油圧ショベルやトラクタタイプトラクタ等の作業機械に適用可能である。
【図面の簡単な説明】
【００２２】
【図１】本発明の一形態例が適用された油圧ショベル全体の説明図である。
【図２】図１中の詳細図であり、(a)は図１中のＡ部拡大図、(b)は図１中のＢ部の拡大平面図、(c)は(b)のＤ−Ｄ矢視図である。
【図３】本発明の他の形態例の説明図である。
【図４】特開２０００−２４０１０号に開示された従来技術の説明図である。
【符号の説明】
【００２３】
1        ブーム
2        アーム
3        バケット
5        照明器具
6,7      １組のワイヤ
8        アーム基軸であるピン
【図１】
2007001413.tif 000003
【図２】
2007001413.tif 000004
【図３】
2007001413.tif 000005
【図４】
2007001413.tif 000006